(57)【要約】【課題】着脱可能なトレーが傾斜した異常配置状態で動作が実行されることを防止し、本体の変形を防止する。【解決手段】収容空間２３を有する本体１０と、収容空間２３の底壁部（上面部１６）より上方に形成した吹出口４５から空気を供給する送風手段（送風ファン４８）と、供給する空気を加熱する加熱手段（加熱ヒータ４９）と、収容空間２３内に配置されるカゴ５０と、カゴ５０の下部に位置するように配置されるトレー５５と、を備えた温風供給装置において、トレー５５を本体１０の収容空間２３内に傾斜して配置した異常配置状態で、カゴ５０を本体１０の収容空間２３に配置すると、互いに干渉してトレー５５を正常配置位置へ移動させる干渉部（脚部５４ａ，５４ｂおよび突出部５８ａ，５８ｂ）を、カゴ５０およびトレー５５にそれぞれ設けた構成とする。【選択図】図１
2011217881.tif 000002
【特許請求の範囲】
【請求項１】
蓋体によって開閉可能とした収容空間を有する本体と、この本体の収容空間の底壁部より上方に形成した吹出口から前記収容空間内へ空気を供給する送風手段と、この送風手段により供給する空気を加熱する加熱手段と、前記収容空間内に配置されるカゴと、このカゴの下部に位置するように前記収容空間の底壁部上に略水平に配置されるトレーと、を備えた温風供給装置において、
前記トレーを前記収容空間内に傾斜して配置した異常配置状態で、前記カゴを前記収容空間に配置すると、互いに干渉して前記トレーを正常配置位置へ移動させる干渉部を、前記カゴおよび前記トレーにそれぞれ設けたことを特徴とする温風供給装置。
【請求項２】
前記カゴは、前記収容空間内への正常配置位置を除く異常配置位置に配置すると、この本体または前記蓋体に干渉するとともに前記カゴの干渉部が前記トレーの干渉部に干渉することにより、前記トレーを正常配置位置へ移動させることを特徴とする請求項１に記載の温風供給装置。
【請求項３】
前記トレーは、前記カゴを前記収容空間の底壁部上に正常配置した状態で、前記蓋体によって開放した前記収容空間の開口部から取り出しおよび差し込み可能であることを特徴とする請求項１または請求項２に記載の温風供給装置。
【請求項４】
前記カゴの干渉部は、前記収容空間の底壁部に当接する脚部であり、
前記トレーの干渉部は、前記カゴを前記収容空間の底壁部の正常配置位置に配置した状態で、前記カゴの脚部のトレー差込方向後側に位置する突出部である
ことを特徴とする請求項１乃至請求項３のいずれか１項に記載の温風供給装置。
【請求項５】
前記吹出口は、前記収容空間内に突出した形状をなし、その上部または上部周辺に、前記トレーの外周部を引っ掛けて傾斜した異常配置状態でトレーを配置すると、滑動により引っ掛かりを解除して略水平な正常配置位置へ移動させるガイド部を設けたことを特徴とする請求項１乃至請求項４のいずれか１項に記載の温風供給装置。
【請求項６】
蓋体によって開閉可能とした収容空間を有する本体と、この本体の収容空間の底壁部より上方に形成した吹出口から前記収容空間内へ空気を供給する送風手段と、この送風手段により供給す空気を加熱する加熱手段と、前記収容空間の底壁部上に略水平に配置されるトレーと、を備えた温風供給装置において、
前記吹出口は、前記収容空間内に突出した形状をなし、その上部または上部周辺に、前記トレーの外周部を引っ掛けて傾斜した異常配置状態でトレーを配置すると、滑動により引っ掛かりを解除して略水平な正常配置位置へ移動させるガイド部を設けたことを特徴とする温風供給装置。
【発明の詳細な説明】
【技術分野】
【０００１】
本発明は、食器類を温風により乾燥させる食器洗い乾燥機を含む食器乾燥機や、器具を温風により滅菌する滅菌機などの温風供給装置に関するものである。
【背景技術】
【０００２】
この種の温風供給装置は、蓋体によって開閉可能な収容空間を形成した本体を備えている。本体には、収容空間を臨むように開口した吹出口が設けられ、この吹出口から収容空間内へ送風ファンによって空気が供給される。また、収容空間内に供給される空気は、加熱ヒータによって所定温度に加熱した温風とされる。なお、収容空間の内部には、乾燥させる食器類や滅菌する器具を配置するためのカゴが着脱可能に配設されるとともに、このカゴの下部にはトレーが着脱可能に配設されている。
【０００３】
特許文献１には、収容空間を構成する本体の一方側部に吹出口を設けた食器乾燥機が記載されている。この食器乾燥機は、吹出口が収容空間内に張り出すように形成した凸部からなる案内部に形成されている。この案内部は、トレーを配置する際に凹部の所定位置に案内する。
【０００４】
しかしながら、特許文献１の食器乾燥機は、吹出口を形成した案内部が収容空間内に突出した形状をなすため、この案内部の上端にトレーの外周部が引っ掛かり、傾斜した状態で配置される可能性がある。この場合、吹出口から供給される温風がトレーで妨げられ、トレーと収容空間の底壁部との間の狭い空間に噴射される。その結果、収容空間を構成する樹脂製の底壁部が昇温により変形する可能性がある。
【先行技術文献】
【特許文献】
【０００５】
【特許文献１】特開２０００−２４５６８０号公報
【発明の概要】
【発明が解決しようとする課題】
【０００６】
本発明では、着脱可能なトレーが傾斜した異常配置状態で動作が実行されることを防止し、本体の変形を防止可能な温風供給装置を提供することを課題とするものである。
【課題を解決するための手段】
【０００７】
前記課題を解決するため、本発明の温風供給装置は、蓋体によって開閉可能とした収容空間を有する本体と、この本体の収容空間の底壁部より上方に形成した吹出口から前記収容空間内へ空気を供給する送風手段と、この送風手段により供給する空気を加熱する加熱手段と、前記収容空間内に配置されるカゴと、このカゴの下部に位置するように前記収容空間の底壁部上に略水平に配置されるトレーと、を備えた温風供給装置において、前記トレーを前記収容空間内に傾斜して配置した異常配置状態で、前記カゴを前記収容空間に配置すると、互いに干渉して前記トレーを正常配置位置へ移動させる干渉部を、前記カゴおよび前記トレーにそれぞれ設けた構成としている。
【０００８】
この温風供給装置は、トレーを傾斜した異常配置状態で配置しても、カゴを配置することにより、互いの干渉部が干渉することによりトレーを正常配置位置へ移動させることができる。そのため、ユーザが異常配置状態に気付かずに動作を開始し、トレーで塞がれた狭い空間に温風が供給されることを防止できる。よって、収容空間の底壁部などの樹脂成形部品が過熱により変形することを防止できる。
【０００９】
この温風供給装置では、前記カゴは、前記収容空間内への正常配置位置を除く異常配置位置に配置すると、この本体または前記蓋体に干渉するとともに前記カゴの干渉部が前記トレーの干渉部に干渉することにより、前記トレーを正常配置位置へ移動させることが好ましい。このようにすれば、カゴの異常配置を防止しつつ、異常配置状態になったトレーを確実に正常配置位置へ移動させることができる。
【００１０】
また、前記トレーは、前記カゴを前記収容空間の底壁部上に正常配置した状態で、前記蓋体によって開放した前記収容空間の開口部から取り出しおよび差し込み可能であることが好ましい。このようにすれば、ユーザによる使用上の利便性を向上しつつ、トレーの異常配置を確実に防止できる。
【００１１】
さらに、前記カゴの干渉部は、前記収容空間の底壁部に当接する脚部であり、前記トレーの干渉部は、前記カゴを前記収容空間の底壁部の正常配置位置に配置した状態で、前記カゴの脚部のトレー差込方向後側に位置する突出部であるように構成することが好ましい。このようにすれば、トレーが傾斜した状態で配置されると、カゴを配置する際に脚部が突出部に干渉する。そして、カゴを正常配置位置に配置することにより、連動してトレーも確実に正常配置位置に配置できる。
【００１２】
そして、前記吹出口は、前記収容空間内に突出した形状をなし、その上部または上部周辺に、前記トレーの外周部を引っ掛けて傾斜した異常配置状態でトレーを配置すると、滑動により引っ掛かりを解除して略水平な正常配置位置へ移動させるガイド部を設けることが好ましい。このようにすれば、トレーを吹出口上に引っ掛けて傾斜した異常配置状態で配置しても、トレーがガイド部に対して滑動することにより引っ掛かりを解除し、トレーを正常配置位置へ配置できる。よって、トレーで塞がれた狭い空間に温風が供給されることを防止できるため、収容空間の底壁部などの樹脂成形部品が過熱により変形することを防止できる。
【発明の効果】
【００１３】
本発明の温風供給装置では、トレーを傾斜した異常配置状態で配置しても、カゴの配置により互いの干渉部を干渉させ、トレーを正常配置位置へ移動させることができる。また、収容空間内に突出した吹出口の上部または上部周辺に、滑動によりトレーを正常配置位置へ移動させるガイド部を設けているため、トレーの異常配置を抑制できる。よって、トレーで塞がれた狭い空間に温風が供給されることによる収容空間の底壁部などの樹脂成形部品の変形を防止できる。
【図面の簡単な説明】
【００１４】
【図１】本発明の実施形態に係る食器乾燥機を示す分解斜視図である。
【図２】トレーとカゴを配置した状態を示す斜視図である。
【図３】図２の断面図である。
【図４】蓋体を閉塞した状態を示す断面斜視図である。
【図５】図３の要部拡大断面図である。
【図６】カゴを配置した状態でのトレーの着脱状態を示す斜視図である。
【図７】トレーを異常配置した状態を示す斜視図である。
【図８】トレーを異常配置した状態を示す断面図である。
【図９】食器乾燥機の変形例を示す分解斜視図である。
【図１０】カゴの脚部とトレーの突出部の関係を示し、（Ａ）は図１の実施形態の概略図、（Ｂ）は図９の変形例の概略図、（Ｃ），（Ｄ）は他の変形例の概略図である。
【発明を実施するための形態】
【００１５】
以下、本発明の実施の形態を図面に従って説明する。
【００１６】
図１乃至図３は、本発明の実施形態に係る温風供給装置である食器乾燥機を示す。この食器乾燥機は、収容空間２３内に温風を供給することにより、内部に収容した食器類を乾燥させるものである。食器乾燥機は、収容空間２３を開閉する蓋体２２を有する乾燥機本体１０を備えている。この乾燥機本体１０の内部には、ダクト部材３７が配設され、このダクト部材３７内の送風通路３８に、送風手段である送風ファン４８と加熱手段である加熱ヒータ４９とが配設されている。また、乾燥機本体１０の収容空間２３には、食器類を配置するカゴ５０と、食器類から滴下する水を受けるトレー５５とが、着脱可能に配置される。
【００１７】
本実施形態の食器乾燥機は、カゴ５０とトレー５５に互いに干渉する干渉部として、カゴ５０に脚部５４ａ，５４ｂを設けるとともにトレー５５に突出部５８ａ，５８ｂを設け、トレー５５が収容空間２３内で傾斜した異常配置状態で配置されることを防止する構成としている。また、収容空間２３内に突出する吹出口４５の上部周辺に、トレー５５を滑動により略水平な所定の正常配置位置へ移動させるガイド部１４を設け、トレー５５の異常配置を抑制できるように構成している。なお、トレー５５の異常配置状態（位置）とは、傾斜した状態だけに限られず、略水平な所定の正常配置位置を除く全ての位置に配置された状態を意味する。
【００１８】
具体的には、乾燥機本体１０は、受皿状をなす下ケース１１と、下ケース１１の上端開口を閉塞する上ケース１２とを備えた平面視矩形状のものである。これらケース１１，１２は、耐熱温度がＴｒ１の樹脂（例えば耐熱温度が１３０℃のＰＰ（ポリプロピレン））によって形成した樹脂成形部品である。
【００１９】
上ケース１２の背面側中央には、上向きに突出した吹出口配設部１３が設けられている。この吹出口配設部１３には、後述するダクト部材３７の先端である吹出口４５が正面側（収容空間２３内）へ突出するように配設される。吹出口配設部１３の両側には、正面側に向けて突出するガイド部１４が設けられている。このガイド部１４は、その正面側がダクト部材３７の先端と略同一面上に位置するように膨出されている。また、ガイド部１４の上部は、側面視円弧状に湾曲した曲面部１５とされている。この曲面部１５により、ガイド部１４上にトレー５５の外周部を引っ掛けて傾斜した異常配置状態でトレー５５を配置すると、滑動により引っ掛かりを解除して略水平な正常配置位置へ移動させる構成としている。
【００２０】
上ケース１２の上面部１６は、正面左側に向けて下向きに傾斜した形状をなし、その最も下方に位置する部分に排水孔１７が設けられている。乾燥機本体１０には、この排水孔１７の下部に位置するように排水容器１８が配設されている。この排水容器１８は、乾燥機本体１０の正面から水平方向に着脱可能である。
【００２１】
上ケース１２の上面部１６には、収容空間２３内へ向けて上向きに突出する５個の凸部１９ａ〜１９ｅが設けられている。これら凸部１９ａ〜１９ｅは、トレー５５を位置決めする役割をなし、背面側中央と、４隅の近傍に設けられている。そのうち、背面側中央に位置する凸部１９ａは、吹出口４５の側に位置するカゴ５０の下枠部５１の下部に位置し、フキンがカゴ５０に掛けられた場合に吹出口４５を完全に覆うことを防止する役割をなす。この凸部１９ａは、吹出口４５より横幅が小さく、吹出口４５の下部に位置する収容空間２３の後壁部である吹出口配設部１３の下部１３ａにかけた隅部に設けられている。
【００２２】
上ケース１２の上面部１６には、凸部１９ｂ〜１９ｅの横方向外側に、カゴ５０の脚部５４ａ〜５４ｄを位置決めする下向きに窪んだカゴ位置決め部２０ａ〜２０ｄが設けられている。そのうち、正面側に位置するカゴ位置決め部２０ａ，２０ｂは、その正面側がトレー５５の突出部５８ａ，５８ｂが位置する連続したトレー位置決め部２１ａ，２１ｂとされている。なお、図１中背面右側に位置するカゴ位置決め部２０ｄは図示していない。
【００２３】
この乾燥機本体１０の上ケース１２の上面部１６には、背面側に固着した第１蓋部材２４と、この第１蓋部材２４に対して回動可能に配設した第２および第３蓋部材２９，３３とからなる蓋体２２が配設されている。この蓋体２２は、乾燥機本体１０の上部をドーム状に囲繞することにより、乾燥機本体１０の上面部１６とで収容空間２３を形成する。即ち、乾燥機本体１０の上面部１６は、収容空間２３の底壁部を構成する。なお、蓋体２２は、透明度が高く耐熱温度がケース１１，１２の耐熱温度Ｔｒ１より低いＴｒ２の樹脂（例えば耐熱温度が８９℃のＰＳ（ポリスチレン））によって形成した樹脂成形部品である（Ｔｒ１＞Ｔｒ２）。
【００２４】
第１蓋部材２４は、乾燥機本体１０の両側面部から背面部にかけて延びる平面視略Ｕ字形状をなす。この第１蓋部材２４の側面には、乾燥機本体１０の側面中央に位置するように第１ヒンジ接続部２５が設けられている。また、第１蓋部材２４の背面下端には、吹出口配設部１３と両側のガイド部１４にかけて嵌る嵌合凹部２６が設けられるとともに、その上方に横方向に所定間隔をもって位置するスリットからなる排気孔２７が設けられている。さらに、第１蓋部材２４の背面上端には、図３に示すように、外向きに突出する第１遮蔽部２８が外向きに突設されている。
【００２５】
第２蓋部材２９は、第１蓋部材２４の外側に回動可能に配設されるもので、側面視略扇型形状をなす側面と、側面視円弧状に湾曲された外面とを有する平面視略Ｕ字形状をなす。この第２蓋部材２９の側面先端には、第１ヒンジ接続部２５に回動可能に接続する第２ヒンジ接続部３０が設けられている。また、第２蓋部材２９の外面には、図３に示す開放状態での下端に、閉塞状態で第１遮蔽部２８と所定間隔をもって位置する第１遮蔽対向部３１が設けられている。さらに、第２蓋部材２９の外面には、開放状態での上端に外向きに突出する第２遮蔽部３２が設けられている。
【００２６】
第３蓋部材３３は、第２蓋部材２９の外側に回動可能に配設されるもので、第２蓋部材２９と同様の平面視略Ｕ字形状をなす。この第３蓋部材３３の側面先端には、第１ヒンジ接続部２５に回動可能に接続する第３ヒンジ接続部３４が設けられている。また、第３蓋部材３３の外面には、開放状態での下端に、閉塞状態で第２遮蔽部３２と所定間隔をもって位置する第２遮蔽対向部３５が設けられている。さらに、第３蓋部材３３の外面には、開放状態での上方に開閉するための操作部３６が外向きに突設されている。
【００２７】
この蓋体２２は、第３蓋部材３３の操作部３６を操作して閉塞すると、図４に示すように、第３蓋部材３３の側面および外面の閉塞回動方向先端の縁が、乾燥機本体１０の上面部１６に当接した状態をなす。そして、この閉塞状態では、各遮蔽部２８，３２と遮蔽対向部３１，３５が所定間隔をもって位置し、収容空間２３内と機外との断熱を図る。また、第３蓋部材３３を開閉操作すると、各ヒンジ接続部２５，３０，３４内に形成した周知の連動構造により、第２蓋部材３１を連動して開方向および閉方向に回動させる。
【００２８】
ダクト部材３７は、図４に示すように、乾燥機本体１０の内部の略中央から背面側上部の吹出口配設部１３にかけて延びる略横Ｊ字形状のものである。このダクト部材３７は、ダクト本体３９と、このダクト本体３９の下部を覆う下カバー４０と、ダクト本体３９の上部を覆う上カバー４１とを備え、これらで筒状に囲まれた内部が送風通路３８を構成する。ダクト本体３９は、耐熱温度がケース１１，１２の耐熱温度Ｔｒ１より高いＴｒ３の樹脂（例えば耐熱温度が２３５℃のＳＰＳ（シンジオタクチックポリスチレン））によって形成した樹脂成形部品である（Ｔｒ１＜Ｔｒ３）。下カバー４０は、ダクト本体３９より耐熱温度が高い金属成形部品である。上カバー４１は、ダクト本体３９と同一材料で形成した樹脂成形部品である。
【００２９】
ダクト部材３７は、乾燥機本体１０の上面部１６に沿って水平方向に延びる第１通路部４２を備えている。この第１通路部４２は、ダクト本体３９と下カバー４０によって四角筒状に形成されている。また、ダクト部材３７は、吹出口配設部１３の背部で垂直上向きに延びる第２通路部４３を備えている。この第２通路部４３は、ダクト本体３９と上カバー４１により、第１通路部４２より横幅が広い四角筒状に形成されている。さらに、ダクト部材３７は、吹出口配設部１３に向けて水平方向に延びる第３通路部４４を備えている。この第３通路部４４は、ダクト本体３９と上カバー４１により、第２通路部４３と同一幅の四角筒状に形成されている。そして、本実施形態では、第３通路部４４の先端を、上面部１６より上方で収容空間２３を臨む吹出口４５としている。
【００３０】
図５に示すように、吹出口４５は、その先端が上ケース１２のガイド部１４の正面側端面より背面側へ没入した状態をなす。この吹出口４５には、横方向に所定間隔をもってルーバー４６が形成されている。また、吹出口４５の上部には、ガイド部１４の正面側端面と略面一に位置するように突出する保護部４７が設けられている。この保護部４７は、上カバー４１を略横Ｕ字形状に湾曲成形したもので、その先端面が吹出口４５より正面側へ突出している。また、保護部４７の上端は、ガイド部１４の曲面部１５より下側に位置するように構成されている。この保護部４７により、吹出口４５（ルーバー４６）にカゴ５０、トレー５５および食器類が干渉することを防止している。また、トレー５５の表面に付着した水が吹出口４５から送風通路３８へ浸入することを抑制している。
【００３１】
図４に示すように、送風ファン４８は、送風通路３８を通して収容空間２３内へ空気を供給するもので、軸方向から吸い込んだ空気を径方向に送出するシロッコファンからなる。この送風ファン４８は、送風通路３８の第１通路部４２の端部に位置するように、下カバー４０上に配設されている。
【００３２】
加熱ヒータ４９は、送風ファン４８の送風方向下流側に位置するように第１通路部４２内に配設され、収容空間２３に供給する空気を所定温度に加熱するものである。この加熱ヒータ４９は、線条のヒータ線を螺旋状に巻回したものである。
【００３３】
カゴ５０は、金属（ＳＵＳ３０４）製の線条部材を屈曲および接合することにより形成したものである。このカゴ５０は、平面視で乾燥機本体１０の上面部１６より小さい下枠部５１と、平面視で上面部１６より大きい上枠部５２とを備えている。これら下枠部５１および上枠部５２は、略Ｕ字形状に屈曲した複数の仕切枠部５３により一体的に接合されている。また、カゴ５０には、下枠部５１が上面部１６より所定間隔をもって上方に位置するように、下向きに突出して上面部１６に当接する脚部５４ａ〜５４ｄが４隅に設けられている。これら脚部５４ａ〜５４ｄは、上面部１６のカゴ位置決め部２０ａ〜２０ｄ内に配置されることにより、カゴ５０を収容空間２３内の所定位置に位置決めして配置できる。
【００３４】
カゴ５０の脚部５４ａ〜５４ｄを乾燥機本体１０のカゴ位置決め部２０ａ〜２０ｄに配置した正常配置状態では、カゴ５０の上枠部５２は、正面側が上面部１６上に位置し、背面側が吹出口４５より上部背面側に位置する。その結果、この正常配置位置より背面側にカゴ５０を配置しようとした場合、上枠部５２が蓋体２２に干渉、または、背面側の仕切枠部５３がガイド部１４または保護部４７に干渉する。また、正常配置位置より正面側または側面側にカゴ５０を配置しようとした場合、脚部５４ａ〜５４ｄが上面部１６に干渉する。これにより、カゴ５０は、正常配置位置を除く異常配置位置には配置できないように構成している。
【００３５】
トレー５５は、収容空間２３の底壁部である乾燥機本体１０の上面部１６上に略水平に配設されるものである。このトレー５５は、正常配置状態で上面部１６の排水孔１７に向けて下向きに傾斜した形状をなし、その部分に排水部５６が形成されている。また、トレー５５には、上面部１６の凸部１９ａ〜１９ｅに嵌合する上向きに窪んだ位置決め凸部５７ａ〜５７ｅが設けられている。さらに、本実施形態のトレー５５は、図６に示すように、収容空間２３にカゴ５０を配設した状態で、蓋体２２によって開放した収容空間２３の開口部から略水平に取り出しおよび差し込み可能な構成としている。具体的には、トレー５５は、その横幅がカゴ５０の脚部５４ａ，５４ｂおよび脚部５４ｃ，５４ｄ間より小さく形成され、カゴ５０の下部へ着脱可能としている。このトレー５５には、差込方向後側に横方向に突出する突出部５８ａ，５８ｂが設けられている。これら突出部５８ａ，５８ｂは、横方向の先端間の幅がカゴ５０の脚部５４ａ，５４ｂ間の幅より大きく形成され、正常配置状態で上面部１６のトレー位置決め部２１ａ，２１ｂに配置されることにより、カゴ５０の脚部５４ａ，５４ｂの正面側に位置する。
【００３６】
この食器乾燥機を使用するユーザがトレー５５を洗浄する場合には、図６に示すように、カゴ５０を乾燥機本体１０の収容空間２３に配置したまま取り出して洗浄できる。また、カゴ５０を収容空間２３から取り出した状態で、トレー５５を取り出して洗浄できる。よって、ユーザは、希望に応じた使用方法を選択できるため、利便性を向上できる。
【００３７】
一方、洗浄したトレー５５を収容空間２３に配置する場合には、カゴ５０を乾燥機本体１０の収容空間２３に配置したまま、カゴ５０の下部に差し込んで配置できる。この際、トレー５５を突出部５８ａ，５８ｂの側から差し込もうとしても、突出部５８ａ，５８ｂ間の幅は、カゴ５０の脚部５４ａ，５４ｂ間の幅より大きいため、差し込むことはできない。また、トレー５５を突出部５８ａ，５８ｂの側を持って差し込むと、位置決め凸部５７ａ，５７ｄ，５７ｅを設けた差込方向前側をカゴ５０の脚部５４ａ，５４ｂ間に差し込むことができる。そして、トレー５５の突出部５８ａ，５８ｂがカゴ５０の脚部５４ａ，５４ｂに当接することにより、それ以上の差し込みはできなくなる。この状態で、上面部１６上に配置することにより、トレー５５の突出部５８ａ，５８ｂをトレー位置決め部２１ａ，２１ｂに配置した正常配置位置に配置できる。よって、収容空間２３にカゴ５０を配置した状態でトレー５５を配置する場合には、トレー５５の異常配置を防止できる。
【００３８】
また、洗浄したトレー５５は、収容空間２３からカゴ５０を取り出した状態で配置されることがある。この場合、図７および図８に示すように、収容空間２３内に吹出口４５が突出した形状をなすため、その上部にトレー５５が引っ掛かり、トレー５５が傾斜した異常配置状態で配置される可能性がある。しかし、本実施形態では、吹出口４５の両側にガイド部１４を設け、その上部を曲面部１５としているため、トレー５５が滑動することにより引っ掛かりが解除される。その結果、トレー５５を滑り落とすように正常配置位置へ配置できる。よって、吹出口４５をトレー５５で塞ぐことにより、トレー５５と上ケース１２の上面部１６との間の狭い空間に温風が供給され、樹脂成形部品である上面部１６が過熱により変形することを防止できる。
【００３９】
但し、ガイド部１４の曲面部１５によっても、トレー５５が異常配置状態となる場合がある。しかし、本実施形態では、この異常配置状態でカゴ５０を配置することにより、トレー５５の異常配置を解除して正常配置位置に移動（配置）させることができる。
【００４０】
具体的には、カゴ５０は、脚部５４ａ〜５４ｄが乾燥機本体１０のカゴ位置決め部２０ａ〜２０ｄ上を除く異常配置位置に配置しようとすると、乾燥機本体１０や蓋体２２に干渉することにより、正常配置位置近傍に誘導される。このとき、トレー５５が傾斜した異常配置状態になっている場合、カゴ位置決め部２０ａ，２０ｂより上方に浮いたトレー５５の突出部５８ａ，５８ｂの背面側に、カゴ５０の脚部５４ａ，５４ｂの正面側円弧部が干渉し、トレー５５を正面側に押圧する。その結果、トレー５５が正常配置位置へ向けて移動することにより、傾斜した異常配置状態を解除し、トレー５５を正常配置位置に配置できる。よって、吹出口４５をトレー５５で塞ぐことにより、トレー５５と上ケース１２の上面部１６との間の狭い空間に温風が供給され、樹脂成形部品である上面部１６が過熱により変形することを確実に防止できる。
【００４１】
なお、本発明の温風供給装置は、前記実施形態の構成に限定されるものではなく、種々の変更が可能である。
【００４２】
例えば、前記実施形態では、収容空間２３にカゴ５０を配置した状態でトレー５５を着脱可能に構成したが、カゴ５０を配置した状態ではトレー５５を着脱不可能に構成してもよい。具体的には、図９に示すように、トレー５５をカゴ５０を上部に配置するように構成する。この場合、トレー５５の枠縁部５５ａが干渉部を構成する。即ち、トレー５５を収容空間２３に傾斜させた異常配置状態でカゴ５０を配置すると、カゴ５０の上枠部５２が蓋体２２に干渉し、カゴ５０が正常配置位置へ誘導される。その際、カゴ５０の脚部５４ａ，５４ｂがトレー５５の枠縁部５５ａまたは位置決め凸部５７ｂ，５７ｃに干渉し、その結果、トレー５５を正面側へ押圧することにより、前記と同様に、トレー５５を正常配置位置へ移動させることができる。
【００４３】
また、前記実施形態では、図１０（Ａ）に示すように、カゴ５０の全ての脚部５４ａ〜５４ｄがトレー５５上には位置しないようにし、図９に示す変形例では、図１０（Ｂ）に示すように、カゴ５０の全ての脚部５４ａ〜５４ｄがトレー５５上に位置するようにしたが、図１０（Ｃ），（Ｄ）に示すように、カゴ５０の脚部５４ａ〜５４ｄの一部がトレー５５上に位置し残りがトレー５５上に位置しないように構成してもよい。具体的には、図１０（Ｃ）に示すように、実施形態と同様に突出部５８ａ，５８ｂを設けたトレー５５に対して、カゴ５０は、正面側の脚部５４ａ，５４ｂがトレー５５の外方でかつ突出部５８ａ，５８ｂの差込方向前側に位置し、背面側の脚部５４ｃ，５４ｄがトレー５５上に位置するように構成してもよい。または、図１０（Ｄ）に示すように、トレー５５の突出部５８ａ，５８ｂを背面側に延びるように形成し、正面側の脚部５４ａ，５４ｂがトレー５５上に位置し、背面側の脚部５４ｃ，５４ｄがトレー５５の外方でかつ突出部５８ａ，５８ｂの差込方向前側に位置するように構成してもよい。
【００４４】
さらに、前記実施形態では、トレー５５の突出部５８ａ，５８ｂを差込方向後側端に設けたが、中間に位置するように設けてもよい。但し、トレー５５は、平面視状態で１８０度回転させたときに形状が一致しない非対称形状とし、収容空間２３の上面部１６上に逆向きで配置できないように構成することが好ましい。
【００４５】
さらにまた、前記実施形態では、吹出口４５の両側にガイド部１４を設けたが、吹出口４５の上部に形成する保護部４７をガイド部とし、その正面側上部を曲率が大きい曲面により構成することにより、トレー５５を滑動により正常配置位置へ移動させる構成としてもよい。
【００４６】
また、ガイド部１４は、吹出口配設部１３の両側に位置するように、乾燥機本体１０の上ケース１２に設けたが、蓋体２２の第１蓋部材２４に設けてもよい。
【００４７】
そして、前記実施形態では、本発明の温風供給装置として、食器類を乾燥させる食器乾燥機を適用して説明したが、収容空間２３内に所定の器具を収容させて温風により滅菌する滅菌機であっても同様の作用および効果を得ることができる。
【符号の説明】
【００４８】
１０…乾燥機本体
１４…ガイド部
１５…曲面部
１６…上面部（底壁部）
２０ａ〜２０ｄ…カゴ位置決め部
２１ａ，２１ｂ…トレー位置決め部
２２…蓋体
２３…収容空間
２４…第１蓋部材
２９…第２蓋部材
３３…第３蓋部材
３７…ダクト部材
３８…送風通路
４５…吹出口
４８…送風ファン（送風手段）
４９…加熱ヒータ（加熱手段）
５０…カゴ
５４ａ〜５４ｄ…脚部（干渉部）
５５…トレー
５５ａ…枠縁部（干渉部）
５８ａ，５８ｂ…突出部（干渉部）
【図１】
2011217881.tif 000003
【図２】
2011217881.tif 000004
【図３】
2011217881.tif 000005
【図４】
2011217881.tif 000006
【図５】
2011217881.tif 000007
【図６】
2011217881.tif 000008
【図７】
2011217881.tif 000009
【図８】
2011217881.tif 000010
【図９】
2011217881.tif 000011
【図１０】
2011217881.tif 000012